(57)【要約】【目的】キースイッチ群の価格を安くするとともに、その組み立て工数を減らすことを目的とする。【構成】光路によるメッシュを作り、その交点に押すと光路を遮るキースイッチを備えさせる。また多重連鎖押しの解読の仕方が書かれている。【選択図】　図１
2004038905.tif 000002
【特許請求の範囲】
【請求項１】
複数の光路があり、各光路の一端には光源が備えられ、他端には受光器が備えられ、各光路は複数のグループに分けられ、
又、複数のキースイッチがあり、各キースイッチは複数の群に分けるか、全体で一つの群とし
ここである光路のグループは、複数のキースイッチの群に割り当てられることもあることを前提に、最低でも二つの光路のグループが各キースイッチの群に割り当てられ、
そして各キースイッチは、そのキースイッチの群のため割り当てられた複数の光路のグループから、各光路のグループ一つにつき基本的に一本の光路が、そのキースイッチの近傍を通り、
そしてそのキースイッチはキートップを押すと、それにより前記キースイッチの近傍を通るすべての光路を遮断するものであることを特徴とするキースイッチ群。
【請求項２】
請求項１のキースイッチ群において、異なる光路のグループで最低二本の光路の受光器の出力が、キースイッチが押された方向に変化した場合、それらの光路の交点をキースイッチが押された位置とすることを特徴とするキースイッチ群におけるキースイッチが押された位置の判断方法。
【請求項３】
請求項１のキースイッチ群において、光路のグループの数が二つの場合、多重連鎖押しで、あるキースイッチが押されても一本しか受光器の出力がキースイッチの押された方向に変化しなかった場合、もう一つの光路のグループの変化は以前から押し続けられているキースイッチと同じ光路上にあったとし、その光路と、
今回受光器の出力が、キースイッチが押された方向に変化した光路との交点を、今回押された位置と判断することを特徴とするキースイッチ群におけるキースイッチが押された位置の判断方法。
【請求項４】
請求項１のキースイッチ群において、異なる光路のグループで最低二本の光路の受光器の出力が、キースイッチが押されていない方向に変化した場合、それらの光路の交点をキースイッチが押されなくなった位置とすることを特徴とするキースイッチ群におけるキースイッチが押されなくなった位置の判断方法。
【請求項５】
請求項１のキースイッチ群において、光路のグループの数が二つの場合、二個のキースイッチが多重押しされており、その内の一個が押されなくなった場合、光路の変化が一つしかなかったなら、もう一本の光路の変化は以前から今も押し続けられているキースイッチと同じ光路上にあったとし、その光路と、
今回受光器の出力が、キースイッチが押されなくなった方向に変化した光路との交点を、
今回押されなくなったキースイッチの位置と判断することを特徴とするキースイッチ群におけるキースイッチが押されなくなった位置の判断方法。
【発明の詳細な説明】
【０００１】
本発明はマイクロコンピュータ利用機器などで使用されるキースイッチ群に関するものである。ここでキースイッチ群とは、キースイッチ（一般的には押すとオンとなるスイッチ）が多数あり、この内のどのキースイッチを押したかを判断する手段をも含めたものとする。パーソナルコンピュータなどは一般にキーボードとして、本体とは別になっているものが多い。
【０００２】
今までのキースイッチ群はキースイッチをプリント配線基板上に設置し、プリント配線基板上でそれらをマトリックスの交点に設置するようにすることで、どのキースイッチが押されたかを判断していた。
【０００３】
この為価格が非常に高価なものとなった。これを光によって行うことで価格を低下させること、及びその時の多重連鎖押し（一つ又は複数のキースイッチが押されているとき、もう一つのキースイッチを押すこと）の判断方法を本発明の主要な課題とする。又これにより故障も少なくなり、組み立て工数も少なくなる。
【０００４】
例としての図１により説明する。キースイッチ群の構造を書くと次の様になる。
複数の光路４（光がとおる道筋）があり、各光路の一端には光源５が備えられ、他端には受光器７が備えられる。ここで各光路は複数のグループ（あつまり）に分けられる。図１に光路のグループの一つ８が指摘してある。
又複数のキースイッチ６があり、各キースイッチは複数の群（あつまり）に分けるか（これらをキースイッチの群と呼ぶ。ここで各小単位のキースイッチの群はせまい意味、又それらをまとめた全体をひろい意味とする。）、又は全体で一つの群とする。
ここである光路のグループは、複数のせまい意味のキースイッチの群に割り当てられることもあることを前提に、最低でも二つの光路のグループが各キースイッチの群に割り当てられる。そして各キースイッチは、そのキースイッチの群のため割り当てられた複数の光路のグループから、各光路のグループ一つにつき基本的に一本の光路がそのキースイッチの近傍を通る。ここで光路のグループが最低の二つの場合、光路でマトリックスを組むとよい。又一般に、あるグループに属する光路は、群内では平行している場合が多い。
そしてキースイッチ６は、キートップを押すと前記キースイッチの近傍を通る全ての光路を遮断するものである。
以上が本発明のキースイッチ群の構造である。よってどのキースイッチが押されたかは、各キースイッチ群の、各光路の一端に備えられた受光器７の出力の状態の変化の組み合わせを調べることにより判断できる。
ここで多重連鎖押しに関して述べる。
一般の場合、異なる光路のグループにおいて、キースイッチにつながる受光器の出力が、押された方向に最低二つ変化すれば、それらの交点が押されたキースイッチの位置として確定する。よってこれで多重連鎖押しに関しても多数のキースイッチの変化が判断できる。しかし、ある規則性を持った位置が前もって押されていた場合光路の変化は一つであっても今度押されたキースイッチの位置は次の方法をとることにより解読可能となる。
一例として光路のグループが二つの場合をあげる。
同じ光路上での連鎖多重押しで、キースイッチが押されても一本しか受光器の出力がキースイッチの押された方向に変化しなかった場合、もう一つの光路のグループの変化は以前から押されていたキースイッチと同じ光路上にあったとし、その光路と、今回受光器の出力がキースイッチが押された方向に変化した光路との交点を今回押された位置と判断する。
次にキースイッチが押されなくなったときの判断に関して述べる。
異なる光路のグループで最低二本の光路の受光器の出力が、キースイッチが押されていない方向に変化した場合は、それらの光路の交点をキースイッチが押されなくなった位置とする。
又、次のような方法もある。
光路のグループの数が二つの場合、二個のキースイッチが多重押しされており、その内の一個が押されなくなった場合、キースイッチが押されない方向への光路の変化が、一つしかなかったら、もう一本の光路の変化は以前から今も押しつづけられているキースイッチと同じ光路上にあったとし、その光路と、今回受光器の出力がキースイッチが押されなくなった方向に変化した光路との交点を、今回押されなくなったキースイッチの位置と判断する。
【０００５】
このように光路によるメッシュを作ることで、どのキースイッチが押されたかが判断できるようになる。
【０００６】
図２、図３、図４、図５に光路の例を上げる。
ここで各キースイッチの光路のグループの数は、対称性が良いので２又は４が良い。
又、光源は複数本の光路で共用させることができる。又、光源をグループごとに点滅させることにより、受光器の数が減らせる。
【０００７】
マトリックスを組むプリント配線基板が必要なくなり、またキースイッチも光路をさえぎるだけのものとなる。それに加えキーボードの底板又は上板は光路を作る物と一体化すると考えればこれも必要なくなる。よって非常に薄く、軽く、かつ価格の安いキーボードができる。又、耐久性の良いキースイッチ群となる。組み立ても簡単である。水にも強い。
【図面の簡単な説明】
【図１】キースイッチ群の一例である。
【図２】光路の一例である。
【図３】光路の一例である。
【図４】光路の一例である。
【図５】光路の一例である。
【符号の説明】
１　ひろい意味でのキースイッチ群
２　せまい意味でのキースイッチ群
３　二つのキースイッチ群に割り当てられた光路
４　光路
５　光源
６　キースイッチ
７　受光器
８　光路のグループの一つ
【図１】
2004038905.tif 000003
【図２】
2004038905.tif 000004
【図３】
2004038905.tif 000005
【図４】
2004038905.tif 000006
【図５】
2004038905.tif 000007